(57)【要約】【課題】面状発光モジュールにおいて、非発光時における無味乾燥な見栄えを改善し、ユーザにとって興趣性の高いものとする。【解決手段】  面状発光モジュール１は、透明な基板２上に設けられる透明電極３と、この透明電極３上に設けられる発光層４１と、この発光層４１上に設けられる非透明電極５とを備える。非透明電極５の発光層４１に臨む面は、相互に反射率が異なる面により構成されている。モジュール１内に入射する外光の、非透明電極５における反射量を非透明電極５の部位に応じて変わるようにしたので、非発光時に、発光時と比べて明るさが低いだけの無味乾燥なイメージを与えることがなく、興趣性に優れたものとなる。【選択図】図１
2011113742.tif 000002
【特許請求の範囲】
【請求項１】
透明な基板上に設けられる透明電極と、この透明電極上に設けられる発光層と、この発光層上に設けられる非透明電極とを備えた面状発光モジュールにおいて、
前記非透明電極の前記発光層に臨む面は、相互に反射率が異なる面により構成されていることを特徴とする面状発光モジュール。
【請求項２】
前記反射率が異なる面は、反射率が異なる複数種の材料を用いて構成されていることを特徴とする請求項１に記載の面状発光モジュール。
【発明の詳細な説明】
【技術分野】
【０００１】
本発明は、発光層を電極で挟持して成る面状発光モジュールに関する。
【背景技術】
【０００２】
従来から、この種の発光モジュールとして、透明な基板上に、透明電極、発光層及び非透明電極が順に積層され、透明電極と非透明電極と間に電圧を印加することにより発光層が発光するものが知られている（例えば、特許文献１参照）。このような発光モジュールは、主に液晶ディスプレイ用のバックライトや屋内用照明に用いられることから、均一な面発光を得るために、基板、発光層及び各電極の平坦性を保持して形成されている。
【先行技術文献】
【特許文献】
【０００３】
【特許文献１】特開２００９−１２９７７１号公報
【発明の概要】
【発明が解決しようとする課題】
【０００４】
ところで、上記発光モジュールにおいて、発光層から出射される光は透明電極、基板を通して取り出される。一方で、発光モジュール内に入射する外光は、基板、透明電極、発光層を透過し、非透明電極にて一様に反射される。そのため、非発光時では、発光時と比べて明るさが低いだけの無味乾燥なイメージをユーザに与えることになり、例えば、発光モジュールを部屋の壁面や天井部分に設置する場合、興趣性のある室内空間を作ることが難しかった。
【０００５】
本発明は、上記問題を解決するためになされたものであり、非発光時における無味乾燥な見栄えを改善し、ユーザにとって興趣性の高いものとすることができる面状発光モジュールを提供することを目的とする。
【課題を解決するための手段】
【０００６】
上記目的を達成するために請求項１の発明は、透明な基板上に設けられる透明電極と、この透明電極上に設けられる発光層と、この発光層上に設けられる非透明電極とを備えた面状発光モジュールにおいて、前記非透明電極の前記発光層に臨む面は、相互に反射率が異なる面により構成されているものである。
【０００７】
請求項２の発明は、請求項１に記載の発明において、前記反射率が異なる面は、反射率が異なる複数種の材料を用いて構成されているものである。
【発明の効果】
【０００８】
請求項１の発明によれば、発光モジュール内に入射する外光の、非透明電極における反射量を非透明電極の部位に応じて変わるようにしたので、非発光時に、発光時と比べて明るさが低いだけの無味乾燥なイメージを与えることがなく、興趣性に優れたものとなる。従って、例えば、発光モジュールを部屋の壁面に設置した場合、非発光時においても単調な壁面として視認されることがなくなり、雰囲気の良い屋内空間が得られる。
【０００９】
請求項２の発明によれば、非透明電極の発光層に臨む面の反射率を容易に設定することができるようになり、興趣性の高い発光モジュールを低コストにて製作できる。
【図面の簡単な説明】
【００１０】
【図１】本発明の一実施形態に係る面状発光モジュールの構成を示す斜視図。
【図２】上記発光モジュールの非発光時における配光特性を示す図。
【図３】上記発光モジュールの発光時における配光特性を示す図。
【発明を実施するための形態】
【００１１】
本発明の一実施形態に係る面状発光モジュールについて図面を参照して説明する。図１は本実施形態に係る面状発光モジュール１の構成を示す。面状発光モジュール１は、発光層を含む有機層を電極で挟持して成る有機ＥＬ型の発光モジュールであり、透明な基板２と、この基板２上に設けられる透明電極３と、この透明電極３上に設けられる有機層４と、この有機層４上に設けられる非透明電極５とを備える。また、面状発光モジュール１は、モジュール１に電力を供給する給電部６を備え、給電部６のプラス側が透明電極３と電気接続され、マイナス側が非透明電極５と電気接続される。
【００１２】
基板２は、光透過性に優れ、絶縁性を有した板状部材、例えば、ガラスや透明樹脂等により構成され、有機層４のある側とは反対側（裏面側）が光放出面となる。透明電極３は、ＩＴＯ（酸化インジウム錫）により形成された透明な金属薄膜である。
【００１３】
有機層４は、発光層４１と、発光層４１と透明電極３との間に介在する正孔輸送層４２と、発光層４１と非透明電極５との間に介在する電子輸送層４３とで構成され、これら各層４１〜４３は透光性を有している。発光層４１は、蛍光材料やりん光材料等の有機材料を用いて形成され、給電部６により透明電極３と非透明電極５との間に電圧印加されることによって発光する。正孔輸送層４２は、発光層４１へのホール注入性を向上させるためものであり、電子輸送層４３は、発光層４１への電子注入性を向上させるためのものである。なお、有機層４は、正孔輸送層４２と透明電極３との間に正孔注入層や、電子輸送層４３と非透明電極５との間に電子注入層を有していてもよい。
【００１４】
非透明電極５は、非透明な金属薄膜であって、有機層４に臨む面が相互に反射率の異なる面の分散配置により構成されている。具体的に、非透明電極５は、反射率が異なる複数種の材料を用いて形成されており、反射率の高い材料から成る高反射部５ａと、反射率の低い材料から成る低反射部５ｂとを有し、この高反射部５ａと低反射部５ｂとが交互に複数配列されている。高反射部５ａと低反射部５ｂとの組み合わせの例としては、高反射部５ａに銀を、低反射部５ｂにアルミニウムを用いるものや、高反射部５ａに銀を含有したアルミ合金を、低反射部５ｂにマグネシウムを含有したアルミ合金を用いるものが挙げられる。
【００１５】
次に、面状発光モジュール１の製造方法について説明する。まず、基板２上に透明電極３を形成し、この透明電極３上に、正孔輸送層４２、発光層４１及び電子輸送層４３を順に積層して有機層４を形成する。有機層４を低分子有機化合物により構成する場合には、真空蒸着法を用い、有機層４を高分子有機化合物により構成する場合には、印刷技術法を用いることが望ましい。次に、有機層４の電子輸送層４３上において非透明電極５の高反射部５ａを形成しない部分をマスキングし、マスクした電子輸送層４３上に高反射部５ａを形成し、その後、マスク除去して低反射部５ｂを形成する。非透明電極５の形成は、低反射部５ｂを形成した後に、高反射部５ａを形成するものであってもよい。最後に、透明電極３及び非透明電極５に給電部６を電気接続し、本モジュール１が完成する。
【００１６】
上記のように構成された面状発光モジュール１の作用について説明する。図２は発光層４１が発光していないときの、モジュール１内に入射する外光の配光特性を示し、図３は発光層４１が発光しているときの、モジュール１からの出射光の配光特性を示す。図２に示されるように、非発光時において、モジュール１への外光Ｌ１は、基板２、透明電極３、正孔輸送層４２、発光層４１及び電子輸送層４３を透過し、非透明電極５の高反射部５ａ又は低反射部５ｂで反射され、この反射光Ｌ２が基板２の光放出面側から出力される。ここに、高反射部５ａからの反射光量と低反射部５ｂからの反射光量とが相違するために、基板２の光放出面側からモジュール１を視たとき、不均一に発光した面として視認される。
【００１７】
それに対し、図３に示される発光時において、発光層４１からの出射光Ｌ３は、正孔輸送層４２、透明電極３、基板２を透過してモジュール１外に出力される。このとき、発光層４１は拡散的な発光を行うため、基板２の光放出面側からモジュール１を視たとき、均一に発光した面として視認される。なお、この発光時においても、上記外光Ｌ１がモジュール１内に入射することにより、非透明電極５からの反射光Ｌ２がモジュール１から出射されるが、この光Ｌ２の量は、発光層４１からの出射光Ｌ３よりもかなり少ないため、不均一に発光した面として視認されることはない。
【００１８】
このように本実施形態に係る面状発光モジュール１によれば、モジュール１内に入射する外光Ｌ１の、非透明電極５における反射量を非透明電極の部位に応じて変わるようにしたので、非発光時に、発光時と比べて明るさが低いだけの無味乾燥なイメージを与えることがなく、興趣性に優れたものとなる。従って、例えば、発光モジュール１を部屋の壁面に設置した場合、非発光時においても単調な壁面として視認されることがなくなり、雰囲気の良い屋内空間が得られる。また、非透明電極５を反射率が異なる複数種の材料を用いて形成することにより、非透明電極５の発光層４１に臨む面の反射率を容易に設定することができるようになり、興趣性の高い発光モジュールを低コストにて製作できる。
【００１９】
なお、本発明は、上記実施形態の構成に限られず、発明の趣旨を変更しない範囲で種々の変形が可能である。例えば、上記において発光モジュール１は有機ＥＬ型のものを示したが、無機化合物から成る発光層を有した無機ＥＬ型モジュールであってもよい。また、非透明電極５が互いに反射率の異なる３種類以上の反射面を有するように構成されていてもよい。また、非透明電極５の発光層４１に臨む面に粗面処理を施すことにより、所望の反射率を持つ反射面を形成するようにしてもよい。
【符号の説明】
【００２０】
１  面状発光モジュール
２  基板
３  透明電極
５  非透明電極
４１  発光層
【図１】
2011113742.tif 000003
【図２】
2011113742.tif 000004
【図３】
2011113742.tif 000005